(57)【要約】【課題】カウンターの取付作業を容易とする、施工性の向上した浴室のカウンターの取付構造を提供すること。【解決手段】断面コ字型形状を有するカウンター１の内部における上面部２側に引掛け金具が配設され、カウンターの下面部に背側の端部から下方に壁面固定部が延設され、浴室５の壁面６に固定ブロック２１が取り付けられ、引掛け金具の引掛け片が、固定ブロックの係止部２５に上方からの挿入によって係止され、カウンターの下面部の壁面固定部から浴室の壁面に向けて固着具が取り付けられ、カウンターが浴室の壁面に取り付けられている。【選択図】図１
2011067372.tif 000002
【特許請求の範囲】
【請求項１】
上面部、前面部および下面部から形成され、背側が開放された、断面コ字型形状を有するカウンターの内部における上面部側に引掛け金具が配設され、引掛け金具は、カウンターの背側の端部に対応する位置に下方に折れ曲がった引掛け片を有し、カウンターの下面部には、背側の端部から下方に壁面固定部が延設され、
浴室の壁面に固定ブロックが取り付けられ、固定ブロックは、上方から挿入される引掛け金具の引掛け片を係止する係止部を有し、
引掛け金具の引掛け片が、固定ブロックの係止部に上方からの挿入によって係止され、カウンターの下面部の壁面固定部から浴室の壁面に向けて固着具が取り付けられ、カウンターが浴室の壁面に取り付けられている
ことを特徴とする浴室のカウンターの取付構造。
【請求項２】
水栓固定金具を支持する水栓支持金具が、浴室の壁面に取り付けられ、カウンターの背側の端部から内部に挿入され、
カウンターの前面部に水栓固定金具が挿入される開口部が形成され、水栓支持金具に取り付けられ、支持された水栓固定金具が、開口部内に挿入され、カウンターの前面部に取り付けられている
ことを特徴とする請求項１に記載の浴室のカウンターの取付構造。
【発明の詳細な説明】
【技術分野】
【０００１】
本発明は、浴室のカウンターの取付構造に関する。
【背景技術】
【０００２】
浴室にカウンターを設置するための構造について、本出願人は、下記特許文献１に記載した浴室のカウンターの取付構造を提案している。
【０００３】
特許文献１に記載した浴室のカウンターの取付構造では、浴室の壁面に取り付けたカウンターキャリアを、断面コ字型形状を有するカウンターの背面開口から内部に挿入し、カウンターをカウンターキャリアに支持している。また、同じく浴室の壁面に取り付けたカラン取付具をカウンターの背面開口から内部に挿入し、カウンターの前面部に設けたカラン用開口部にカランを挿通してカランをカラン取付具に取り付けている。
【０００４】
このような浴室のカウンターの取付構造は、断面コ字型形状によって強度が高められたカウンターを、カウンターキャリアで支持し、カウンターキャリアに強固に取り付けることができ、また、カラン用開口部に挿通したカランをカラン取付具に強固に取り付けることができるという利点を有する。
【先行技術文献】
【特許文献】
【０００５】
【特許文献１】特開２０００−８７５７７号公報
【発明の概要】
【発明が解決しようとする課題】
【０００６】
一方、カウンターの浴室壁面への取付作業には、カウンターキャリアおよびカラン取付具の設置、カランまでの接続管の設置および接続管とカランの接続、カウンターのカウンターキャリアへの固定などの諸作業が含まれる。このため、取付作業の全体を考慮すると、上記浴室のカウンターの取付構造は、必ずしも簡便なものであるとは言いがたく、施工性を改善するための工夫が必要とされる。
【０００７】
たとえば、カウンターの取付けに際して、カウンターキャリアの載置片の下側からビスなどの固着具をカウンターの上面部に向けて取り付けるとともに、カウンターの下面部において化粧ビスなどの固着具を浴室壁面に取り付けるようになっており、固着具の取付作業が多くなっている。
【０００８】
本発明は、以上のとおりの事情に鑑みてなされたものであり、カウンターの取付作業を容易とする、施工性の向上した浴室のカウンターの取付構造を提供することを課題としている。
【課題を解決するための手段】
【０００９】
本発明は、上記の課題を解決するために、以下の特徴を有している。
【００１０】
第１の発明は、上面部、前面部および下面部から形成され、背側が開放された、断面コ字型形状を有するカウンターの内部における上面部側に引掛け金具が配設され、引掛け金具は、カウンターの背側の端部に対応する位置に下方に折れ曲がった引掛け片を有し、カウンターの下面部には、背側の端部から下方に壁面固定部が延設され、浴室の壁面に固定ブロックが取り付けられ、固定ブロックは、上方から挿入される引掛け金具の引掛け片を係止する係止部を有し、引掛け金具の引掛け片が、固定ブロックの係止部に上方からの挿入によって係止され、カウンターの下面部の壁面固定部から浴室の壁面に向けて固着具が取り付けられ、カウンターが浴室の壁面に取り付けられていることを特徴としている。
【００１１】
第２の発明は、上記第１の発明の特徴において、水栓固定金具を支持する水栓支持金具が、浴室の壁面に取り付けられ、カウンターの背側の端部から内部に挿入され、カウンターの前面部に水栓固定金具が挿入される開口部が形成され、水栓支持金具に取り付けられ、支持された水栓固定金具が、開口部内に挿入され、カウンターの前面部に取り付けられていることを特徴としている。
【発明の効果】
【００１２】
上記第１の発明によれば、引掛け金具の引掛け片を固定ブロックの係止部に上方から挿入して係止させ、カウンターの下面部の壁面固定部から浴室の壁面に向けて固着具を取り付けることによって、カウンターを浴室の壁面に取り付けることができる。このため、固着具の取付作業が軽減され、カウンターの取付作業は簡便なものとなり、施工性の向上が図られる。
【００１３】
上記第２の発明によれば、上記第１の発明の効果に加え、カウンターの前面部に取り付けられる水栓金具固定用の水栓固定金具が、浴室の壁面に取り付けられた水栓支持金具に取り付けられ、支持されているので、水栓固定金具のカウンターの前面部への取付作業を安定した状態において容易に行うことができる。施工性の向上がより図られる。
【図面の簡単な説明】
【００１４】
【図１】本発明の浴室のカウンターの取付構造の一実施形態を示した分解斜視図である。
【図２】図１に示した浴室のカウンターの取付構造の、カウンターの正面から見た正面図である。
【図３】図２に示したＸ−Ｘ方向の断面図と要部拡大図である。
【図４】施工後のカウンターの取付状態を示した斜視図である。
【発明を実施するための形態】
【００１５】
上記のとおり、図１は、本発明の浴室のカウンターの取付構造の一実施形態を示した分解斜視図である。図２は、図１に示した浴室のカウンターの取付構造の、カウンターの正面から見た正面図であり、図３は、図２に示したＸ−Ｘ方向の断面図と要部拡大図である。
【００１６】
本実施形態では、カウンター１は、上面部２、前面部３および下面部４から形成され、背側が開放されて断面コ字型形状を有している。カウンター１は、たとえば、硬質の合成樹脂などの押し出しによる一体成形品として作製することができる。カウンター１は、浴室５のたとえば洗い場側の壁面６に沿って取り付けられる。
【００１７】
上面部２は、その上に石鹸、シャンプーなどの備品やタオルなどを安定して置くことができるように、浴室５において水平に配置される。前面部３の中央寄りの部分７には、水栓金具を固定するために、略円形の開口部８が２つ形成されている。開口部８の大きさは、後述する水栓固定金具９の大きさに対応し、水栓固定金具９よりも若干大きめとされている。開口部８の形成にともない、また、カウンター１の意匠性などを考慮して、開口部８が形成された中央寄りの部分７は、前面部３の他の部分よりも下方に延在している。
【００１８】
下面部４には、壁面固定部１０が、背側の端部からフランジ状に下方に延設されている。壁面固定部１０は、下面部４において、前面部３の下方に延在する中央寄りの部分７の左右両側に配置されている。壁面固定部１０は、その背側が浴室５の壁面６に当接して配置され、タッピンねじなどの固着具が取り付けられる部位であり、前面部３の中央寄りの部分７の左右のそれぞれに１箇所の固着具の取付位置１１が存在している。
【００１９】
このような上面部２、前面部３および下面部４の、浴室５の壁面６に沿った方向の両端部、すなわち、左右両端部１２は閉じられ、カウンター１の内部１３は、カウンター１の背側にのみ開放する中空状となっている。
【００２０】
浴室５の壁面６においてカウンター１が取り付けられる箇所には、開口部８に対向する部位に、給水管Ａの端部を浴室５側に引き出し、固定するための壁出し金具１４が２つ配設されている。壁出し金具１４は、Ｏリングを介在させて壁面６に取り付けられている。それぞれの壁出し金具１４には、短尺の接続管１５を介して水栓固定金具９が接続されている。上記のとおり、水栓固定金具９は、開口部８に挿入可能とされており、開口部８の大きさは、水栓固定金具９の大きさよりも若干大きいため、開口部８は遊びを有しており、カウンター１の前面部３への水栓固定金具９の取付けが容易となっている。接続管１５には、蛇腹管などの伸縮自在なものを使用することができ、この場合、カウンター１の取付け時に、背側の端部から内部１３に挿入される接続管１５を伸長させて水栓固定金具９の取付けに適した配置状態に置くことができる。
【００２１】
２つの水栓固定金具９は、補助金具１６を介して水栓支持金具１７に取り付けられ、浴室５において水平に支持されている。補助金具１６は、横長形状を有する金具であり、長手方向の端部、すなわち、左右両端部に水栓固定金具９が挿入される開口部が１つずつ形成されている。この開口部に水栓固定金具９の前端部を挿入し、補助金具１６の前方からビスなどの固着具を水栓固定金具９の前端側に形成されたフランジに向けて取り付けることにより、水栓固定金具９は、補助金具１６に固定される。
【００２２】
水栓支持金具１７は、浴室５の壁面６に背側において当接可能な板状の取付部１８と、カウンター１の内部１３の断面形状に対応した略台形状の形状を有し、カウンター１の内部１３に挿入可能な支持部１９とを備えている。支持部１９は、取付部１８の左右両端から前方に延設されている。
【００２３】
このような水栓支持金具１７は、２つの壁出し金具１４の間に配置され、取付部１８の背側を浴室５の壁面６に当接して配置し、ビスなどの固着具を取付部１８の前方から壁面６に向けて取り付けることによって、壁面６に取り付けられている。水栓支持金具１７の支持部１９の前端には、水栓支持金具１７の外側に延在するフランジが設けられており、補助金具１６は、水平器などを用いて水平出しされて、前方からビスなどの固着具が、水栓支持金具１７のフランジに向けて取り付けられて連結される。こうして、水栓固定金具９が、水栓支持金具１７に取り付けられて支持されている。
【００２４】
また、水栓支持金具１７では、取付部１８の上端に支持片２０が、支持部１９と同様に前方に延設されている。カウンター１の取付け時に上面部２の背側の端部が支持片２０の上に載置され、水栓支持金具１７は、カウンター１を背側の端部において支持することができるようにしている。
【００２５】
浴室５の壁面６には、また、壁出し金具１４の外側に、カウンター１を取り付けるための固定ブロック２１が２つ取り付けられている。固定ブロック２１は、浴室５の壁面６に背側において当接可能な円板状の取付部２２と、取付部２２を貫通し、溝を切って壁面６に取り付けられる、タッピンねじなどのような固着具２３とから形成されている。取付部２２には、固着具２３の頭部２３ａに接触可能で、接触によって頭部２３ａを取付部２２の前方に若干離して配置する円筒状の保持部２４が配設されている。これらの取付部２２、保持部２４および固着具２３の頭部２３ａによって、固定ブロック２１では係止部２５が形成されている。
【００２６】
そして、カウンター１には、固定ブロック２１に対応する位置に引掛け金具２６が配設されている。
【００２７】
引掛け金具２６は、矩形板状の本体部２７と、本体部２７の一端から直角に折り曲げられた、矩形状の固定片２８とから形成され、断面Ｌ字型形状を有している。引掛け金具２６は、カウンター１の内部１３に挿入され、固定片２８と反対側に位置する本体部２７の端部をカウンター１の背側の端部に配置するとともに、本体部２７を上面部２の内面に接触させてカウンター１に取り付けられている。カウンター１の内部１３には、前面部３の内面からカウンター１の背側に向かってボス２９が突設されている。前面部３の内面から突出するボス２９の端面に、下向きに配置された固定片２８を当接させ、ビスなどの固着具３０を固定片２８側からボス２９の内部に向けて取り付けることによって、引掛け金具２６がカウンター１の内部１３における上面部２側に固定されている。固着具３０は、固定片２８の左右両側の２箇所に取り付けられている。
【００２８】
また、引掛け金具２６は、固定片２８と反対側に位置する、すなわち、カウンター１の背側の端部に対応して位置する本体部２７の端部に、矩形状の引掛け片３１を有している。引掛け片３１は、本体部２７の端部中央部から下方に折れ曲がっている。引掛け片３１は、固定ブロック２１の係止部２５に挿入可能な厚さとされ、また、上面部２の背側の端面から固定ブロック２１の取付部２２の厚み分内側に配置されている。また、引掛け片３１では、下端部の略中央部に、固定ブロック２１の保持部２４または固着具２３の外形に略等しい大きさで半円状の切欠３２が形成されている。引掛け片３１は、固定ブロック２１の係止部２５に上方からの挿入が可能とされ、切欠３２が保持部２４または固着具２３に掛け止められることによって係止部２５に係止される。
【００２９】
以上の浴室のカウンターの取付構造では、カウンター１を取り付ける際には、まず、浴室５の壁面６に固定ブロック２１および水栓支持金具１７を取り付け、水栓固定金具９を水栓支持金具１７に取り付け、支持させておく。この状態において、カウンター１の前面部３の開口部８に水栓固定金具９を挿入し、カウンター１を水栓支持金具１７の上方から被せるように降ろし、引掛け金具２６の引掛け片３１を固定ブロック２１の係止部２５に上方から挿入する。そして、引掛け片３１を固定ブロック２１の係止部２５に係止させながら、上面部２の上に置いた水平器などによって水平状態を確認、調整し、最後に、下面部４の壁面固定部１０の取付位置１１においてタッピンねじなどの固着具を前方から壁面６に向けて取り付ける。
【００３０】
こうして、カウンター１が、浴室５の壁面６に沿って取り付けられ、固定される。カウンター１の上面部２は、背側の端部において水栓支持金具１７の支持片２０に支持され、補強される。
【００３１】
この後、図４に示したように、前面部３の開口部８に挿入した水栓固定金具９の外周部に前方から締め付けリング３３をねじ込み、締め付けて、水栓固定金具９をカウンター１の前面部３に固定する。水栓金具は、固定された水栓固定金具９に取り付けられる。
【００３２】
このように、図１−４に示した浴室のカウンターの取付構造では、引掛け金具２６の引掛け片３１を固定ブロック２１の係止部２５に上方から挿入して係止させ、カウンター１の下面部４の壁面固定部１０から浴室５の壁面６に向けて固着具を取り付けることによって、カウンター１は、壁面６に取り付けられる。このため、固着具の取付作業が、従来に比べ少なくなり、軽減されている。したがって、カウンター１の取付作業は簡便なものとなり、施工性の向上が図られている。
【００３３】
また、固着具の取付作業が軽減されているので、カウンター１の取外作業も容易となっており、カウンター１に特に点検用の開口を形成しなくとも、メンテナンスを容易に行うことができる。メンテナンス時にはカウンター１を容易に取り外すことができる。
【００３４】
しかも、図１−４に示した浴室のカウンターの取付構造では、カウンター１の前面部３に取り付けられる水栓金具固定用の水栓固定金具９が、浴室５の壁面６に取り付けられた水栓支持金具１７に取り付けられ、支持されているので、水栓固定金具９の取付作業を安定した状態において容易に行うことができる。施工性の向上がより図られている。
【００３５】
以上、本発明の浴室のカウンターの取付構造の一実施形態を示したが、本発明は、上記実施形態に限定されることはない。カウンターの形状および大きさや、引掛け金具、固定ブロック、水栓固定金具および水栓支持金具の形状、大きさおよび構造などについては、それらが所定の機能を果たしうることができる限り、様々な態様が可能である。
【符号の説明】
【００３６】
１  カウンター
２  上面部
３  前面部
４  下面部
５  浴室
６  壁面
８  開口部
９  水栓固定金具
１０  壁面固定部
１３  内部
１７  水栓支持金具
２１  固定ブロック
２５  係止部
２６  引掛け金具
３１  引掛け片
【図１】
2011067372.tif 000003
【図２】
2011067372.tif 000004
【図３】
2011067372.tif 000005
【図４】
2011067372.tif 000006